【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
複数のＬＥＤアレイを含む負荷に略一定の電圧及び略一定の電流を供給するためのドライバ回路であって、
前記ドライバ回路が、
入力ＡＣ電力源と、
前記入力ＡＣ電力源に接続されてＤＣ電圧を生成する整流器と、
前記整流器からＤＣ電圧を受け取るための定電圧ドライバ回路と、
を備え、前記定電圧ドライバ回路が、
ＤＣ電圧を受け取るため選択的に作動されるスイッチング素子と、
ＤＣ電圧を受け取り、前記スイッチング素子に駆動信号を送って、前記スイッチング素子を作動させるように構成されたコントローラと、
略一定の電圧を供給する出力ラインと、
を含み、
前記ドライバ回路が更に、
前記定電圧ドライバ回路の出力ラインと各々が直接通信して、略一定の電圧を受け取る複数の定電流ドライバ回路を備え、前記複数の定電流ドライバ回路の各々が、前記複数のＬＥＤアレイのうちの対応する１つのＬＥＤアレイに実質的に一定の電流を提供する、ドライバ回路。
【請求項２】
前記スイッチング素子と通信するバックコンバータを更に備え、該バックコンバータは、前記スイッチング素子が作動された場合にＤＣ電圧を受け取る、請求項１に記載のドライバ回路。
【請求項３】
前記バックコンバータは、フライホイールダイオード、一次側巻線、及び二次側巻線を含む、請求項２に記載のドライバ回路。
【請求項４】
前記二次側巻線は、電圧レギュレータ回路の一部分である、請求項３に記載のドライバ回路。
【請求項５】
前記一次側巻線からの電圧は、電圧が線形電圧レギュレータに送られる前に、前記二次側巻線によって下げられる、請求項３に記載のドライバ回路。
【請求項６】
前記スイッチング素子は、ハイサイドスイッチング素子である、請求項１に記載のドライバ回路。
【請求項７】
前記定電圧ドライバ回路は、浮遊接地を含む、請求項１に記載のドライバ回路。
【請求項８】
前記定電圧ドライバ回路は、アースに接地される、請求項１に記載のドライバ回路。
【請求項９】
前記負荷は、パルス幅変調（ＰＷＭ）制御又は線形制御を使用して駆動される、請求項１に記載のドライバ回路。
【請求項１０】
前記複数の定電流ドライバ回路の各々は、略一定の電流を前記負荷に供給するための電流コントローラを含む、請求項１に記載のドライバ回路。
【請求項１１】
前記複数の定電流ドライバ回路の各々は、アースに接地される、請求項１に記載のドライバ回路。
【請求項１２】
前記複数の定電流ドライバ回路の各々は、浮遊接地を含む、請求項１に記載のドライバ回路。
【請求項１３】
前記複数のＬＥＤアレイは、赤色、緑色、及び青色（ＲＧＢ）の色混合に基づいており、前記複数の定電流ドライバ回路の各々は、前記複数のＬＥＤアレイの各々を互いに別個に駆動して、特定の色の光出力を生成する、請求項１に記載のドライバ回路。
【請求項１４】
前記複数のＬＥＤアレイは、白色ＬＥＤを備え、前記複数の定電流ドライバ回路の各々は、前記複数のＬＥＤアレイの各々を互いに別個に駆動して、前記白色ＬＥＤの色温度を変更する、請求項１に記載のドライバ回路。
【請求項１５】
前記複数のＬＥＤアレイは、白色ＬＥＤを備え、前記複数の定電流ドライバ回路の各々は、前記ＬＥＤアレイが調光されると前記複数のＬＥＤアレイの色温度が上昇するように、前記複数のＬＥＤアレイの各々を互いに別個に駆動する、請求項１に記載のドライバ回路。
【請求項１６】
前記整流器に接続された電磁波障害（ＥＭＩ）フィルタを更に備える、請求項１に記載のドライバ回路。
【請求項１７】
略一定の電圧及び略一定の電流を複数のＬＥＤに供給するためのドライバ回路であって、
前記ドライバ回路が、
入力ＡＣ電力源と、
前記入力ＡＣ電力源に接続されてＤＣ電圧を生成する整流器と、
浮遊接地を含み、前記整流器からＤＣ電圧を受け取るための定電圧ドライバ回路と、
を備え、前記定電圧ドライバ回路が、
前記ＤＣ電圧を受け取るため選択的に作動されるハイサイドスイッチング素子と、
前記ＤＣ電圧を受け取り、前記ハイサイドスイッチング素子に駆動信号を送って、前記ハイサイドスイッチング素子を作動させるように構成されたコントローラと、
略一定の電圧を供給する出力ラインと、
を含み、
前記ドライバ回路が更に、
前記定電圧ドライバ回路の出力ラインと各々が直接通信して、略一定の電圧を受け取る複数の定電流ドライバ回路を備え、前記複数の定電流ドライバ回路の各々が、前記複数のＬＥＤアレイのうちの対応する１つのＬＥＤアレイに実質的に一定の電流を提供する、ドライバ回路。
【請求項１８】
前記ハイサイドスイッチング素子と通信するバックコンバータを更に備え、該バックコンバータは、前記ハイサイドスイッチが作動された場合にＤＣ電圧を受け取る、請求項１７に記載のドライバ回路。
【請求項１９】
前記バックコンバータは、フライホイールダイオード、一次側巻線、及び二次側巻線を含む、請求項１８に記載のドライバ回路。
【請求項２０】
前記二次側巻線は、電圧レギュレータ回路の一部分である、請求項１９に記載のドライバ回路。
【請求項２１】
前記一次側巻線からの電圧は、電圧が線形電圧レギュレータに送られる前に、前記二次側巻線によって下げられる、請求項１９に記載のドライバ回路。
【請求項２２】
前記複数の定電流ドライバ回路の各々は、略一定の電流を前記負荷に供給するための電流コントローラを含む、請求項１７に記載のドライバ回路。
【請求項２３】
前記複数の定電流ドライバ回路の各々は、アースに接地される、請求項１７に記載のドライバ回路。
【請求項２４】
前記複数のＬＥＤアレイは、赤色、緑色、及び青色（ＲＧＢ）の色混合に基づいており、前記複数の定電流ドライバ回路の各々は、前記ＬＥＤアレイの各々を互いに別個に駆動して、特定の色の光出力を生成する、請求項１７に記載のドライバ回路。
【請求項２５】
前記複数のＬＥＤアレイは、白色ＬＥＤを備え、前記複数の定電流ドライバ回路の各々は、前記複数のＬＥＤアレイの各々を互いに別個に駆動して、前記白色ＬＥＤの色温度を変更する、請求項１７に記載のドライバ回路。
【請求項２６】
前記複数のＬＥＤアレイは、白色ＬＥＤを備え、前記複数の定電流ドライバ回路の各々は、前記ＬＥＤアレイが調光されると前記複数のＬＥＤアレイの色温度が上昇するように、前記複数のＬＥＤアレイの各々を互いに別個に駆動する、請求項１７に記載のドライバ回路。
【請求項２７】
略一定の電圧及び略一定の電流を複数のＬＥＤに供給するためのドライバ回路であって、
前記ドライバ回路が、
入力ＡＣ電力源と、
前記入力ＡＣ電力源に接続されてＤＣ電圧を生成する整流器と、
アースに接地されており、前記整流器から前記ＤＣ電圧を受け取るための定電圧ドライバ回路と、
を備え、前記定電圧ドライバ回路が、
ＤＣ電圧を受け取るため選択的に作動されるスイッチング素子と、
ＤＣ電圧を受け取り、前記スイッチング素子に駆動信号を送って、前記スイッチング素子を作動させるように構成されたコントローラと、
前記略一定の電圧を供給する出力ラインと、
を含み、
前記ドライバ回路が更に、
前記定電圧ドライバ回路の出力ラインと各々が直接通信して、略一定の電圧を受け取る複数の定電流ドライバ回路を備え、前記複数の定電流ドライバ回路の各々が、前記複数のＬＥＤアレイのうちの対応する１つのＬＥＤアレイに実質的に一定の電流を提供する、ドライバ回路。
【請求項２８】
前記スイッチング素子と通信するバックコンバータを更に備え、前記バックコンバータは、前記スイッチが作動にされた場合にＤＣ電圧を受け取る、請求項２７に記載のドライバ回路。
【請求項２９】
前記バックコンバータは、フライホイールダイオード、一次側巻線、及び二次側巻線を含む、請求項２８に記載のドライバ回路。
【請求項３０】
前記二次側巻線は、電圧レギュレータ回路の一部分である、請求項２８に記載のドライバ回路。
【請求項３１】
前記一次側巻線からの電圧は、前記電圧が線形電圧レギュレータに送られる前に、前記二次側巻線によって下げられる、請求項２９に記載のドライバ回路。
【請求項３２】
前記複数の定電流ドライバ回路の各々は、略一定の電流を前記負荷に供給するための電流コントローラを含む、請求項２７に記載のドライバ回路。
【請求項３３】
前記複数の定電流ドライバ回路の各々は、浮遊接地を含む、請求項２７に記載のドライバ回路。
【請求項３４】
前記複数のＬＥＤアレイは、赤色、緑色、及び青色（ＲＧＢ）の色混合に基づいており、前記複数の定電流ドライバ回路の各々は、前記複数のＬＥＤアレイの各々を互いに別個に駆動して、特定の色の光出力を生成する、請求項２７に記載のドライバ回路。
【請求項３５】
前記複数のＬＥＤアレイは、白色ＬＥＤを備え、前記複数の定電流ドライバ回路の各々は、前記複数のＬＥＤアレイの各々を互いに別個に駆動して、前記白色ＬＥＤの色温度を変更する、請求項２７に記載のドライバ回路。
【請求項３６】
前記複数のＬＥＤアレイは、白色ＬＥＤを備え、前記複数の定電流ドライバ回路の各々は、前記ＬＥＤアレイが調光されると前記複数のＬＥＤアレイの色温度が上昇するように、前記複数のＬＥＤアレイの各々を互いに別個に駆動する、請求項２７に記載のドライバ回路。
【請求項３７】
略一定の電圧及び略一定の電流を負荷に供給するためのドライバ回路であって、
前記ドライバ回路が、
入力ＡＣ電力源と、
前記入力ＡＣ電力源に接続されてＤＣ電圧を生成する整流器と、
前記整流器からＤＣ電圧を受け取るための定電圧ドライバ回路と、
を備え、前記定電圧ドライバ回路が、
ＤＣ電圧を受け取るため選択的に作動されるスイッチング素子と、
ＤＣ電圧を受け取り、前記スイッチング素子に駆動信号を送って、前記スイッチング素子を作動させるように構成されたコントローラと、
略一定の電圧を供給する出力ラインと、
を含み、
前記ドライバ回路が更に、
前記定電圧ドライバ回路の出力ラインと通信して、略一定の電圧を受け取る少なくとも１つの定電流ドライバ回路と、
前記スイッチング素子と通信し、前記スイッチング素子が作動された場合にＤＣ電圧を受け取る、バックコンバータと、
を備える、ドライバ回路。
【請求項３８】
前記バックコンバータは、フライホイールダイオード、一次側巻線、及び二次側巻線を含む、請求項３７に記載のドライバ回路。
【請求項３９】
前記二次側巻線は、電圧レギュレータ回路の一部分である、請求項３８に記載のドライバ回路。
【請求項４０】
前記一次側巻線からの電圧は、電圧が線形電圧レギュレータに送られる前に、前記二次側巻線によって下げられる、請求項３８に記載のドライバ回路。
【請求項４１】
前記スイッチング素子は、ハイサイドスイッチング素子である、請求項３７に記載のドライバ回路。
【請求項４２】
前記定電圧ドライバ回路は、浮遊接地を含む、請求項３７に記載のドライバ回路。
【請求項４３】
前記定電圧ドライバ回路は、アースに接地される、請求項３７に記載のドライバ回路。